(57)【要約】【課題】  ネットオークションの参加者とオークションに提供される現物を確認して購入する者との両者が落札可能な方法を提供する。【解決手段】  オークションに出品されるべき物品のオークション情報が出品者のユーザ端末から登録されて、登録された物品に関する識別情報が付与され、出品者により付与された識別情報が当該物品に付着され、当該物品に付着された識別情報を介して入札者が入札した入札情報と、ＵＲＬ情報を指定することでネットワーク経由で受け付けた入札情報と、これらのいずれかの入札情報に基づいて、落札者を決定するオークションサーバ装置１０を提供する。【選択図】図３
2010086341.tif 000002
【特許請求の範囲】
【請求項１】
出品者のユーザ端末、及び入札者のユーザ端末と通信可能に接続されたオークションサーバ装置であって、
オークションに出品されるべき物品のオークション情報が出品者のユーザ端末から登録され、当該登録されたオークション情報にアクセス可能となるオークション登録手段と、
前記オークション登録手段に登録された前記物品に関する識別情報が付与される識別情報付与手段と、
予め当該物品に付着された前記識別情報を介して前記オークション登録手段に登録された前記物品に対する入札情報を入札者のユーザ端末から受け付けるリアル入札受付手段と、
を備えることを特徴とするオークションサーバ装置。
【請求項２】
前記リアル入札受付手段が受け付けた前記入札情報に含まれる前記物品の価格情報と、ネットワーク経由で、識別情報を介さずに入札を受け付けた前記入札情報に含まれる前記物品の前記価格情報とを比較し、高額の前記価格情報を提示した前記ユーザを前記落札者と決定することを特徴とする請求項１に記載のオークションサーバ装置。
【請求項３】
前記リアル入札受付手段は、前記ユーザ確認情報を受信し、前記ユーザが正当に登録されている場合に、前記入札情報を受け付けることを特徴とする請求項１又は２に記載のオークションサーバ装置。
【請求項４】
前記識別情報はＱＲ（Ｑｕｉｃｋ  Ｒｅｓｐｏｎｓｅ）コードであることを特徴とする請求項１乃至３の何れか一項に記載のオークションサーバ装置。
【請求項５】
出品者のユーザ端末、及び入札者のユーザ端末と通信可能に接続されたオークションサーバ装置が実行する方法であって、
オークションに出品されるべき物品のオークション情報が出品者のユーザ端末から登録され、当該登録されたオークション情報にアクセス可能となるオークション登録ステップと、
前記オークション登録ステップにて登録された前記物品に関する識別情報が付与される識別情報付与ステップと、
予め当該物品に付着された前記識別情報を介して前記オークション登録手段に登録された前記物品に対する入札情報を入札者のユーザ端末から受け付けるリアル入札受付ステップと、
を備えることを特徴とする方法。
【請求項６】
請求項５に記載の方法をコンピュータに実行させることを特徴とするプログラム。
【発明の詳細な説明】
【技術分野】
【０００１】
本発明は、インターネットなどのネットワーク上でオークションを実現させるためのオークションサーバ装置、方法及びプログラムに関する。
【背景技術】
【０００２】
近年コンピュータを使用し、ネットワーク上で競売を行なうシステムが提案されている。
【０００３】
例えば、特許文献１には、ネットワークを介して相互に接続されたサーバクライアントシステムにおいて、サーバコンピュータは、商品の価格を順次下げて、各クライアントコンピュータからの入札を受け付け、ある価格において複数の入札要求があった場合に、その入札価格において、何れか１の入札者を落札者に決定し、サーバコンピュータは、その落札者に落札確認情報を送信し、オークションを終了する、と記載されている。
【０００４】
また、特許文献２には、ネットワークを介してオークションを行なうシステムにおいて、参加者の購買意欲をより刺激するために、会員限定Ｗｅｂサーバは、会員の応札を受け付け、応札価格が出品者の設定した価格を越えた商品を、その商品の流札が無くなったことが確定した状態である売り切り状態に移行させる。その売り切り状態は、“売り切り”を配置した出品者情報検索画面を会員限定メニュー画面上の“出品者情報検索／応札”をユーザがクリックしたパーソナルコンピュータに送信することでそのユーザに通知する、と記載されている。
【０００５】
また、特許文献３には、オークションの入札者を制限するシステムとして、サーバーはオークション参加者に対して入札を受け付けると、入札者制限型オークションでない場合は、登録されたユーザ名及びパスワードのみを入力するためのページを送出し、入札者制限型のオークションの場合は、キーワードを入力するページを表示する。キーワードが正しい場合、通常の入札処理を行う、と記載されている。
【０００６】
【特許文献１】特開２００１−２８３０４３号公報
【特許文献２】特開２００１−３０６８８１号公報
【特許文献３】特開２００１−３１２６２５号公報
【発明の開示】
【発明が解決しようとする課題】
【０００７】
しかし、これまでネットオークションにおける対象商品に対してネットワーク上の登録情報を参照してネットワーク上でオークションに参加しているオークション参加者と、フリーマーケット等における現実のオークションに参加しているオークション参加者とがリアルタイムに同一の対象商品に対してオークションを行い、同一の対象商品の価格を決定することはできなかった。
【０００８】
そこで、本発明は、ネットワーク上で開催されるネットオークションの参加者と、オークションに提供される現物を確認して、購入しようとする者との両者が落札可能な方法を提供することができるオークションサーバ装置、方法及びプログラムを提供することを目的とする。
【課題を解決するための手段】
【０００９】
本発明では以下のような解決手段を提供する。
【００１０】
（１）  出品者のユーザ端末、及び入札者のユーザ端末と通信可能に接続されたオークションサーバ装置であって、
オークションに出品されるべき物品のオークション情報が出品者のユーザ端末から登録され、当該登録されたオークション情報にアクセス可能となるオークション登録手段と、
前記オークション登録手段に登録された前記物品に関する識別情報が付与される識別情報付与手段と、
予め当該物品に付着された前記識別情報を介して前記オークション登録手段に登録された前記物品に対する入札情報を入札者のユーザ端末から受け付けるリアル入札受付手段と、
を備えることを特徴とするオークションサーバ装置。
【００１１】
（１）に係る発明によれば、上述のような構成を有することにより、オークションに出品されるべき物品のオークション情報が出品者のユーザ端末から登録され、当該登録されたオークション情報にアクセス可能となり、予め当該物品に付着された識別情報を介して登録された物品に対する入札情報を入札者のユーザ端末から受け付ける。そして、受け付けられた入札情報に基づいて、落札者を決定する。
【００１２】
したがって、（１）に係る発明によれば、通常のネットワーク上で開催されるネットオークションの入札者と、識別情報を介してアクセスする入札者であって、オークションに提供される現物を確認して入札する入札者との両者が落札可能になる。
【００１３】
すなわち、出品者にとっては、現物を視認して入札する入札者と、ネットワークオークションで入札する入札者との両方の入札により、落札価格が決定するため、片方の入札よりも物品が高額で入札される可能性が高まり、結果として、ネットワークオークションの利用が向上する。また、現物を確認して、落札する際に、実際に、この現物を販売している会場でも、リアルのオークションを開催している場合には、リアルオークションとネットワークオークションを融合することが可能となる。
【００１４】
（２）  前記リアル入札受付手段が受け付けた前記入札情報に含まれる前記物品の価格情報と、ネットワーク経由で、識別情報を介さずに入札を受け付けた前記入札情報に含まれる前記物品の前記価格情報とを比較し、高額の前記価格情報を提示した前記ユーザを前記落札者と決定することを特徴とする（１）に記載のオークションサーバ装置。
【００１５】
（２）に係る発明によれば、リアル入札受付手段による入札か、識別情報を介さずに入札したネットワーク経由の入札者かのいずれかの最高額を提示したユーザを落札者として決定することが可能になる。
【００１６】
（３）  前記リアル入札受付手段は、前記ユーザ確認情報を受信し、前記ユーザが正当に登録されている場合に、前記入札情報を受け付けることを特徴とする（１）又は（２）に記載のオークションサーバ装置。
【００１７】
（３）に係る発明によれば、正規に登録した身分のはっきりしたユーザのみがオークションに参加することができるので、質の高いネットワークオークションをユーザに提供することが可能になる。すなわち、ユーザ登録がされているネットワークオークションであるので、応札希望者にとっては、出品者がその商品をひやかしで出品したのではないことや、より価格を上乗せしなければその商品を手に入れることができないことを明確に信用することが可能になる。このようなことから、購買意欲はより刺激され、オークションの娯楽性はより向上する結果となる。
【００１８】
（４）  前記識別情報はＱＲ（Ｑｕｉｃｋ  Ｒｅｓｐｏｎｓｅ）コードであることを特徴とする（１）乃至（３）の何れか一項に記載のオークションサーバ装置。
【００１９】
（４）に係る発明によれば、識別情報はＱＲコードであるので、オークションに提供される現物を確認して、落札をしようとするリアルオークションの参加者に提供する現物に識別情報を、容易に付着することが可能になる。
【００２０】
また、ＱＲコードは、例えば、携帯電話機等の携帯情報端末機に備え付けられている入力読取装置であるデジタルカメラで容易に読み取ることが可能なので、実際のフリーマーケット等のマーケットに来場しているユーザはネットオークションに気軽にかつ容易に参加することが可能になる。
【００２１】
（５）  出品者のユーザ端末、及び入札者のユーザ端末と通信可能に接続されたオークションサーバ装置が実行する方法であって、
オークションに出品されるべき物品のオークション情報が出品者のユーザ端末から登録され、当該登録されたオークション情報にアクセス可能となるオークション登録ステップと、
前記オークション登録ステップにて登録された前記物品に関する識別情報が付与される識別情報付与ステップと、
予め当該物品に付着された前記識別情報を介して前記オークション登録手段に登録された前記物品に対する入札情報を入札者のユーザ端末から受け付けるリアル入札受付ステップと、
を備えることを特徴とする方法。
【００２２】
（５）に係る発明によれば、（１）と同様の作用、効果を奏する。
【００２３】
（６）  （５）に記載の方法をコンピュータに実行させることを特徴とするプログラム。
【００２４】
このような構成によれば、当該プログラムをコンピュータに実行させることにより、（５）と同様の作用、効果が期待できる。
【発明の効果】
【００２５】
本発明によれば、ネットワーク上で開催されるネットオークションの入札者と、オークションに提供される現物を確認して、落札をしようとする入札者との両者が落札可能なオークションを提供することが可能となる。
【発明を実施するための最良の形態】
【００２６】
以下、本発明の実施形態について図１を参照しながら説明する。
【００２７】
［システム全体構成］
【００２８】
図１には、本実施形態に係るオークションサーバ装置としてのサーバ１０と、ユーザ端末３０（パソコン３０ａ、携帯情報端末３０ｂ等）とから構成される情報処理システム１を示す。なお、図１においては、情報処理システム１は、サーバ１０と、ユーザ端末３０とは、それぞれ複数台で構成されていても良い。
【００２９】
サーバ１０は、図２に示すように、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されても良い）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。なお、ハードディスク３７０、光ディスクドライブ３８０、並びに、半導体メモリ３９０はまとめて記憶装置４１０と呼ばれる。
【００３０】
制御部３００は、サーバ１０を統括的に制御する部分であり、ハードディスク３７０に記憶された各種プログラムを適宜読み出して実行することにより、上述したハードウェアと協働し、本発明に係る各種機能を実現している。
【００３１】
通信Ｉ／Ｆ３３０は、サーバ１０が、ネットワークを介してユーザ端末３０等の他の装置と情報を送受信する場合のネットワーク・アダプタである。
【００３２】
ＢＩＯＳ３５０は、サーバ１０の起動時にＣＰＵ３１０が実行するブートプログラムや、サーバ１０のハードウェアに依存するプログラム等を記録する。
【００３３】
Ｉ／Ｏコントローラ３６０には、ハードディスク３７０、光ディスクドライブ３８０、及び半導体メモリ３９０等の記憶装置４１０を接続することができる。
【００３４】
ハードディスク３７０は、本ハードウェアをサーバ１０として機能させるための各種プログラム、本発明の機能を実行するプログラム及び後述するテーブル等を記憶する。なお、サーバ１０は、外部に別途設けたハードディスク（図示せず）を外部記憶装置として利用することもできる。
【００３５】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００３６】
なお、本発明でいうコンピュータとは、記憶装置、制御部等を備えた情報処理装置をいい、サーバ１０は、記憶装置４１０、制御部３００等を備えた情報処理装置により構成される。
【００３７】
ユーザ端末３０は、サーバ１０とネットワーク経由で通信可能に接続されたコンピュータであってよく、パソコン、携帯電話機等の携帯情報端末機であってよい。ユーザ端末３０は、出品者、入札者、アクセス者等のオークション参加者であるユーザが使用する端末である。ユーザ端末３０のうち、後述する携帯情報端末３０ｂについては、入札者のユーザ端末３０であって、識別情報であるＱＲコード情報を読み取るためのデジタルカメラ等の入力装置を備え、ＱＲコード等の２次元バーコードの読み取り機能を備える。
【００３８】
ユーザ端末３０のうち、パソコン３０ａとは、入札者のユーザ端末であり、ウェブブラウザにＵＲＬ情報を入力することで、ネットｗ−空く経由でアクセス可能なコンピュータであってよい。携帯型パソコンであってもよいが、携帯情報端末３０ｂとは、識別情報であるＱＲコード情報に基づいて、サーバ１０にアクセスしない点で異なる。
【００３９】
また、本発明に係るサーバ１０は、上述のような構成を有することにより、ユーザ（オークション参加者）のユーザ端末３０を介してオークションに出品する物品の登録を受け付ける。そして、オークションに出品された物品に関する識別コードであるＱＲコード等の識別情報をオークションに出品された物品に付与し、その識別情報を介したオークションに出品された物品に対するアクセスを受け付け、その識別情報を介したオークションに出品された物品に対する入札情報および通常のネットワークオークションによる入札情報を受け付け、落札者を決定する機能を有している。
【００４０】
すなわち、サーバ１０は、ユーザ端末３０を使用するユーザに対してオークションサイトを提供するＷＥＢサーバである。
【００４１】
ここで、当該機能を発揮するための構成について、図３に示す機能ブロック図を用いて説明する。サーバ１０は、オークション登録手段であるオークション登録部１１と、識別情報付与手段である識別情報付与部１２と、アクセス受付手段であるアクセス受付部１３と、入札受付手段である入札受付部１４と、落札者決定手段である落札者決定部１５と、オークション情報データベース（ＤＢ）１６とを備える。
【００４２】
オークション登録部１１は、オークションに出品されるべき物品及びオークションの基礎情報が出品者のユーザ端末３０から登録される機能を有する。
【００４３】
オークション情報には、オークションに出品されるべき物品の画像情報、終了時刻情報、開始価格情報、オークションＩＤ（Ｉｄｅｎｔｉｆｉｃａｔｉｏｎ）情報、物品の説明情報等の情報が含まれる。
【００４４】
オークション情報は、出品者が、ユーザ端末３０からサーバ１０へ送信することでサーバ１０のオークション登録部１１に入力される。
【００４５】
オークション登録部１１はオークション情報を保持してもよいが、オークション情報データベース１６にオークション情報を記憶させ、オークション情報データベース１６でオークション情報を一元的に管理することが可能になる。
【００４６】
オークション情報は、オークションＩＤ情報で特定され、オークションサイトのウェブページを構成し、ユーザ端末３０からのアクセスを可能にする。ユーザ端末３０からのアクセスは、ＵＲＬ情報により特定され、ユーザ端末３０のウェブブラウザからＵＲＬ情報を入力することで、当該オークションＩＤのオークションサイトが表示されることで、登録された物品のオークション情報が視認可能となる。
【００４７】
識別情報付与部１２は、オークション登録手段に登録された前記物品に関する識別情報が付与される機能を有する。
【００４８】
識別情報にはＱＲコード情報が含まれ、このＱＲコード情報は、ＵＲＬ情報が含まれている。識別情報付与部１２は、当該オークションＩＤのウェブページのＵＲＬ情報が生成されたタイミングで、このＵＲＬ情報をＱＲコードに変形し、ＱＲコード情報を生成する。識別情報付与部１２は、生成されたＱＲコード情報を、出品者のユーザ端末３０に送信することで、識別コードを付与する。
【００４９】
出品者のユーザは、識別コード付与部１２により付与されたＱＲコード情報を、ユーザ端末３０で受信し、ＱＲコード情報を印刷して、オークション登録部１１に登録されインターネット等のネットオークションに出品された物品であって、且つ、実際のフリーマーケット等のマーケットで出品されている物品に付着する（貼る）。
【００５０】
上記の説明では、出品者のユーザがフリーマーケットに物品を出品している場合を説明したが、フリーマーケットではなく、この物品について、現地でのオークションが開催されていてもよい。この場合には、リアルオークションとなる。
【００５１】
リアルオークションの入札者は、実際のフリーマーケット等のマーケットで出品されている物品に上記の出品者が付着したＱＲコード情報を、携帯情報端末３０ｂに付属しているデジタルカメラ等のカメラで読み取ることで、オークションのこの物品に関するＵＲＬ情報を取得し、ＷＥＢブラウザを立ち上げて、携帯情報端末３０ｂからオークションサイトにアクセスすることで、ネットオークションに参加することができる。
【００５２】
この場合には、ユーザはオークションに出品されている現品を自分の目で確かめ、実際に自分の手で品質などを確認して携帯情報端末３０ｂからオークションに参加することができるという利点がある。
【００５３】
アクセス受付部１３は、識別情報付与部１２によって付与された識別情報を介してオークション登録部１１に登録された物品に対するアクセスを受け付ける機能とともに、通常のネットオークションであって、パソコン３０ａのウェブブラウザにＵＲＬ情報が入力されて、ネットオークションにアクセスした参加者に対するアクセスを受け付ける機能を有する。
【００５４】
サーバ１０のアクセス受付部１３のこの機能によって、ユーザは、実際のフリーマーケット等のマーケットで出品されている物品に付着されているＱＲコード情報に基づいて、携帯情報端末３０ｂからオークションサイトにアクセスすることができる。これとともに、パソコン３０ａのウェブブラウザにＵＲＬ情報が入力されて、ネットオークションにアクセスした参加者に対するアクセスを受け付けることができる。
【００５５】
また、アクセス受付部１３は、アクセス受付部１３に対してアクセスがあった場合に、オークション登録部１１に登録された物品に関するオークション情報をアクセス受付部１３に対してアクセスした参加者の携帯情報端末３０ｂ、パソコン３０ａに送信する機能を有する。
【００５６】
この機能により、アクセス受付部１３は、携帯情報端末３０ｂ又はパソコン３０ａからアクセスしてきたユーザに対して、オークション情報（画像情報、終了時刻情報、開始価格情報、物品の説明情報、現在価格情報等の情報）を送信することができる。
【００５７】
オークション情報を受信した実際のフリーマーケット等のマーケットの現場に居るユーザは、携帯情報端末３０ｂの表示部でオークションに出品されている物品のオークション情報を観ながら、オークション情報と実際のフリーマーケット等のマーケットで出品されている物品とを比較しながら、オークションに出品されている物品のオークションに参加するか否かを決定することが可能になる。
【００５８】
さらに、アクセス受付部１３は、オークション登録部１１に登録された物品にアクセスした参加者のユーザＩＤ等のユーザ確認情報を受信し、参加者が正当に登録されている場合に、オークション登録部１１に登録された物品に関するオークション情報をアクセス受付部１３に対してアクセスしたユーザに送信する機能を有する。
【００５９】
すなわち、参加者が正当に登録されていない場合には、アクセスを受け付けず、オークション情報を受信することができないので正当に登録していない参加者はオークションに参加することはできない。
【００６０】
ユーザＩＤ等のユーザ確認情報は、オークション情報データベース（ＤＢ）１６に予め記憶されており、過去にユーザが正当でないと判断されたことによりフラグが立てられていてよい。このようなフラグがある場合や、ユーザ登録が無い場合には、正当ではないと判断してよい。
【００６１】
入札受付部１４は、オークション登録部１１に登録された物品に対する入札情報を受け付ける。
【００６２】
ここで入札情報には、入札価格情報、入札者ＩＤ等の入札者情報が含まれる。
【００６３】
入札受付部１４は、ＱＲコード情報に基づいて携帯情報端末３０ｂからのアクセス（リアルオークションからのアクセス）と、ネットオークションにアクセスした参加者からの入札情報との両方を区別なく受け付ける。
【００６４】
さらに、入札受付部１４は、携帯情報端末３０ｂあるいはパソコン３０ａからユーザＩＤ等のユーザ確認情報を受信し、入札者が正当に登録されている場合に、入札情報を受け付ける機能を有する。
【００６５】
すなわち、入札者が正当に登録されていない場合には、入札情報を受け付けないので正当に登録していないユーザはオークションに参加することはできない。
【００６６】
ユーザＩＤ等のユーザ確認情報は、オークション情報データベース（ＤＢ）１６に予め記憶されるが、入札受付部１４が記憶していてもよい。
【００６７】
ユーザＩＤ等のユーザ確認情報は、オークション情報データベース（ＤＢ）１６に予め記憶されており、過去にユーザが正当でない入札によりユーザが取引に対して正当でないと判断されたことによりフラグが立てられていてよい。このようなフラグがある場合や、ユーザ登録が無い場合には、正当ではないと判断してよい。
【００６８】
落札者決定部１５は、入札受付部１４によって受け付けられた入札情報に基づいて、入札価格が現在価格よりも高い場合には入札価格情報を更新し、最終的な落札者を決定する機能を有する。
【００６９】
すなわち、落札者決定部１５は、オークションに登録された物品のオークションＩＤ情報等の情報に基づいて、入札されるオークションに登録された物品をアクセス受付部１３が特定し、アクセス受付部１３が受け付けた入札価格が現在価格よりも高い場合には入札価格情報を更新する。
【００７０】
落札者決定部１５は、入札受付部１４が受け付けた入札情報に含まれる物品の価格情報と、オークション登録部１１を介した入札情報に含まれる物品の価格情報とを比較し、高額の価格情報を提示したユーザを、オークション終了時刻の到達時に、落札者と決定する機能を有する。
【００７１】
このようにして、落札者決定部１５は、入札受付部１４に対して入札した入札者のうち何れかの最高額を提示した入札者を落札者として決定する。
【００７２】
オークション情報データベース（ＤＢ）１６は、オークション登録部１１を介して入力されたオークション情報（オークションに出品されるべき物品の画像情報、終了時刻情報、開始価格情報、入札価格情報、オークションＩＤ情報、ユーザＩＤ情報、物品の説明情報等の情報）が記憶される。
【００７３】
オークション情報は、オークション登録部１１、識別情報付与部１２、アクセス受付部１３、入札受付部１４および、落札者決定部１５を介して、携帯情報端末３０ｂ及びパソコン３０ａに送信される。
【００７４】
このような構成によれば、サーバ１０は、出品者のユーザ端末３０を介したオークションに出品する物品の登録を受け付け、オークションに出品された物品に関する識別コードであるＱＲコード等の識別情報をオークションに出品された物品に付与し、これを物品に付着し、その識別情報を介したオークションに出品された物品についてのオークションサイトへのアクセスを受け付け、その識別情報を介したオークションに出品された物品に対する入札情報および通常のネットワークオークションによる入札情報を受け付け、落札者を決定する機能を有している。
【００７５】
従って、ネットワーク上で開催されるネットオークションの参加者と、オークションに提供される現物を確認して、落札をしようとするリアルオークションの参加者との両者が落札可能なシステムを提供することが可能になる。
【００７６】
［処理手順］
【００７７】
ここで、本発明を適用した場合において実現され得る具体的な処理手順について、図４に示すフローチャートを参照して説明する。なお、以下に示す処理手順は、一例であってこれ以外にも実現され得る処理手順は無数に存在する。
【００７８】
ステップＳ１において、出品者のユーザ端末３０は、ネットワークを介してサーバ１０に対してユーザがオークションに出品したいと所望する物品（著作権情報を含む）のオークション情報を送信する。
【００７９】
オークション情報はサーバ１０のオークション登録部１１に入力され、登録される。ここで、オークション情報はオークション登録部１１を介してオークション情報データベース１６に記憶されてもよい。
【００８０】
ステップＳ２において、サーバ１０の識別情報付与部１２は、ステップＳ１において登録されたオークション情報に対応するＱＲコード情報等の識別情報を付与する。
【００８１】
付与された識別情報は、出品者のユーザ端末３０に送信され、ユーザがラベルとして識別情報を印刷することができる。
【００８２】
印刷された識別情報は、ステップＳ１においてオークション登録部１１に登録されたオークションに供され、実際のフリーマーケット等のマーケットで出品されている物品に付着することができる。
【００８３】
実際のフリーマーケット等のマーケットで出品されている物品に付着された識別情報がＱＲコード等の二次元バーコード情報である場合には、携帯情報端末３０ｂに備えられているデジタルカメラでＱＲコード等の識別情報を撮影することで、この物品に関するオークションサイトのＵＲＬ情報を取得することが可能になる。
【００８４】
ステップＳ３において、サーバ１０のアクセス受付部１２は、オークション登録部１１に登録された物品に対するアクセスを受け付ける。
【００８５】
ステップＳ４において、サーバ１０の入札受付部１４は、オークション登録部１１に登録された物品に対する入札情報を受け付ける。
【００８６】
入札情報は、入札受付部１４を介して、オークション情報データベース１６に記憶されてもよい。
【００８７】
ステップＳ５において、落札者決定部１５は、入札受付部１４によって受け付けられた入札情報に基づいて、落札者を決定する。
【００８８】
すなわち、落札者決定部１５は、入札受付部１４が受け付けたＱＲコード情報等の識別情報を介したアクセス受付部１３による入札情報に含まれる物品の価格情報と、オークション登録部１１を介した入札情報に含まれる物品の価格情報とを比較し、高額の価格情報を提示したユーザを落札者と決定する。
【００８９】
［ネットワーク経由によるオークション参加の概念］
【００９０】
次に、図５を用いてネットワークを介したオークション参加の概念の一例を説明する。
【００９１】
図５（ａ）は、ユーザによってサーバ１０のオークション登録部１１に入力されたオークション情報が、パソコン３０ａの表示部に表示された画面例である。
【００９２】
図５（ａ）では、オークションに出品された物品がＴシャツの場合のオークションサイト例５０ａが示されている。
【００９３】
図５（ａ）のＴシャツのオークションＩＤは０１０であり、オークションの終了時刻は明日の１０時００分に設定されており、オークションの開始価格は１００円であり、アクセスＱＲコードの画像情報およびＴシャツの画像情報が表示される。
【００９４】
出品者はユーザ端末３０を介して、図５（ａ）に示されるオークション情報をオークション登録部１１に登録でき、更に、サーバ１０のオークション登録部１１にアクセスすることで、オークション登録部１１に登録したオークション情報を出品者のユーザ端末３０に図５（ａ）に示したように表示することができる。
【００９５】
また、開始価格と入札価格（表示せず）が表示されることで、現在のオークションの進行状況をユーザは確認できる。
【００９６】
ネットオークションによる入札者は、図５（ａ）に示されるオークション情報を見ることで、パソコン３０ａから入札価格を入力し、オークションに参加することが可能になる。
【００９７】
オークションサイト５０ａでは、既にＱＲコードが表示されているが、オークション情報を入力した出品者が、入力後に、所定時間経過後に、識別コード付与部１２によりＱＲコードが表示されてもよい。
【００９８】
同様に、図５（ｂ）には、オークションにジーンズが出品されたサイト例５０ｂが示されている。
【００９９】
図５（ｂ）のジーンズのオークションＩＤは０２０であり、オークションの終了時刻は明日の１０時３０分に設定されており、オークションの開始価格は１００円であり、アクセスＱＲコードの画像情報およびジーンズの画像情報が表示される。
【０１００】
ユーザは、図５（ｂ）に示されるオークション情報をオークション登録部１１に登録でき、更に、サーバ１０のオークション登録部１１にアクセスすることで、オークション登録部１１に登録したオークション情報をユーザのパソコン３０ａに図５（ｂ）に示したように表示することができる。
【０１０１】
また、開始価格と入札価格（表示せず）が表示されるので、現在のオークションの進行状況をオークションに登録したユーザとネットワークを介してブラウジングしているユーザの双方が確認できる。
【０１０２】
図５（ｂ）に示されるジーンズのオークション情報をネットオークションとして視認した参加者は、パソコン３０ａから入札価格を入力してオークションに参加することが可能になる。
【０１０３】
［実際のフリーマーケット等のマーケットからのオークション参加の概念］
【０１０４】
次に、図６を用いて実際のフリーマーケット等のリアルマーケットからオークションへ参加する場合の概念の一例を説明する。
【０１０５】
図６は、実際のフリーマーケット等のマーケットにおいて展示されているＴシャツ６０ａを示し、図５（ａ）においてユーザによってサーバ１０のオークション登録部１１に入力され、パソコン３０ａの表示部に表示されたＴシャツ６０ａの実物を示した図である。
【０１０６】
図６の実際のフリーマーケット等のマーケットにおいて展示されているＴシャツ６０ａには、図５（ａ）に表示されているＴシャツ６０ａを識別するための識別情報としてのＱＲコード６５ａが付着されている。
【０１０７】
ユーザは、携帯情報端末３０ｂに備えられているデジタルカメラでＱＲコード等の識別情報を撮影し、ＵＲＬ情報を取得して、サーバ１０へアクセスする。
【０１０８】
携帯情報端末３０ｂのユーザは、携帯情報端末３０ｂの表示部に表示される図５（ａ）に示されるＴシャツ６０ａのオークション情報を見ることで、携帯情報端末３０ｂから入札価格を入力してオークションに参加することが可能になる。
【０１０９】
［ネットオークションの参加者と、リアルオークションの参加者との共同参加の概念］
【０１１０】
次に図７に基づいて、ネットオークションの参加者と、リアルオークションの参加者との共同参加の概念を説明する。
【０１１１】
図７では、オークションに出品された物品がＴシャツの場合が示されている。
【０１１２】
図７のＴシャツのオークションＩＤは０１０であり、オークションの終了時刻は本日の１０時００分に設定されており、オークションの現在の価格（入札価格）は２４００円である。オークションサイト７０ａは、パソコン３０ａに表示される画面例である。また、Ｔシャツ７０ｂは、リアルオークションにおいて、Ｔシャツ７０ｂの傍に、このオークションが終了時刻等の情報が記載された看板が設置される。携帯情報端末３０ｂを使用するユーザは、出品された物品であるＴシャツ７０ｂに付着されたＱＲコードを介して、オークションサイト７０ａにアクセスする。
【０１１３】
図７に示されている画像情報は、図７の携帯情報端末３０ｂの表示部およびパソコン３０ａの表示部の両方に表示される。
【０１１４】
図７の携帯情報端末３０ｂの参加者は、現物を確認して落札をしようとするリアルオークションの参加者であり、携帯情報端末３０ｂの表示部を見ながらＴシャツに付着されたＱＲコードを携帯情報端末３０ｂのデジタルカメラで撮影して、ＱＲコードから取得したＵＲＬ情報から、オークションサイト７０ａにアクセスし、入札価格を携帯情報端末３０ｂのスイッチボタン等のマンマシンユーザインターフェースを介して入力する。
【０１１５】
一方、図７のパソコン３０ａのユーザはネットワーク上で開催されるネットオークションの参加者であって、パソコン３０ａの表示部を見ながら入札価格の変動をチェックし、パソコン３０ａのキーボード、マウス等のマンマシンユーザインターフェースを介して入札価格を入力する。
【０１１６】
サーバ１０の落札者決定部１５は、図７のパソコン３０ａのユーザと図７の携帯情報端末３０ｂのユーザの入札価格情報を比較し、高額の価格情報を提示したユーザを落札者と決定する。
【０１１７】
このようにして、ネットワーク上で開催されるネットオークションの参加者と、オークションに提供される現物を確認して、落札をしようとするリアルオークションの参加者との両者が落札可能なシステムを提供することが可能になる。
【０１１８】
リアルオークションについて説明する。現物を確認して、落札する際に、実際に、この現物を販売している会場でも、リアルのオークションを開催している場合には、リアルオークションとネットワークオークションを融合することが可能となる。すなわち、出品者が、リアルオークションにて入札を希望する者に対して、ＱＲコード情報を教えて、オークションサイトへのアクセスを促して誘導することにより、リアルオークションとネットワークオークションを融合することが可能となる。
【０１１９】
また、以上の実施形態においては、ネットワーク上で開催されるネットオークションの参加者と、オークションに提供される現物を確認して落札をしようとするリアルオークションの参加者との両者の入札情報をサーバ１０で平等に取り扱うように記述してきたが、本発明はこれに限定されるわけではない。
【０１２０】
例えば、現物を確認して、落札をしようとするリアルオークションの参加者が現物をその場所で引き取ってくれる（現物を持ち帰ってくれる場合）等のオークションの出品者にとって有利な状況の場合には、リアルオークションの参加者の入札情報をサーバ１０は優先して（落札）処理することが可能である。
【０１２１】
例えば、リアルオークションの参加者の入札価格情報とネットオークションの参加者の入札価格情報が同じ場合には、リアルオークションの参加者を落札者と決定し、また、リアルオークションの参加者の入札価格情報に予め定められた価格を上乗せした情報をリアルオークションの参加者の入札価格情報とサーバ１０が判断することが可能である。
【０１２２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１２３】
なお、本実施形態においては、サーバ１０は、ハードディスク３７０及び光ディスクドライブ３８０を有する構成として説明したが、これに限られず、これらの駆動系を有さない構成、いわゆるゼロスピンドルによる構成であっても良い。このような構成の場合には、ハードディスク３７０に記憶される内容は、大容量の半導体メモリ３９０に記憶される。
【図面の簡単な説明】
【０１２４】
【図１】本実施形態に係るサーバと、ユーザ端末とから構成される情報処理システムを示す図である。
【図２】本発明に係るサーバの構成を示すブロック図である。
【図３】本実施形態に係るサーバの機能的な構成を示す機能ブロック図である。
【図４】本実施形態に係るサーバによる処理手順についての説明に供するフローチャートである。
【図５】本実施形態に係るネットオークション参加の概念を模式的に示す図である。
【図６】本実施形態に係るリアルオークション参加の概念を模式的に示す図である。
【図７】本実施形態に係るネットオークションおよびリアルオークション共同参加の概念の模式的な構成を示す図である。
【符号の説明】
【０１２５】
１  情報処理システム
１０  サーバ
３０  ユーザ端末
３０ａ  パソコン
３０ｂ  携帯情報端末
１１  オークション登録部
１２  識別コード付与部
１３  アクセス受付部
１４  入札受付部
１５  落札者決定部
１６  オークション情報データベース（ＤＢ）
【図１】
2010086341.tif 000003
【図２】
2010086341.tif 000004
【図３】
2010086341.tif 000005
【図４】
2010086341.tif 000006
【図５】
2010086341.tif 000007
【図６】
2010086341.tif 000008
【図７】
2010086341.tif 000009